(57)【要約】【課題】着座仕様の洋式便器を台座部分と便器部分とに分離可能にし、洋式便器機能を損なうことなく便器部分のみを所定の高さで昇降自在とすることで立小便用の便器部分とする手段を提供する。【解決手段】一体型洋式便器において、床１５に固定設置される台座３部分から洋式便器機能を損なうことなく分離し、立小便用としてロータンク１付便器２部分のみを所定の高さ位置間において昇降自在可能とし、便座２部分と一体形成のインナ・パイプ２’は台座３側のアウタ・パイプ３’内を上下動可能とされるが汚水漏れや臭気発生などのトラブル防止のため、インナ・パイプ２’にリング・パッキン２”が設けられている。  ロータンク１付便器２部分の所要とする昇降動作は、壁面１６に垂直に固定取付されるリフト・ガイドレール４面上を滑動可能として機能構成され該ロータンク１付便器２部分を固定取付で背負うバケットシート６によって行われる。【選択図】図３
2014109174.tif 000002
【特許請求の範囲】
【請求項１】
着座仕様の洋式便器を男性用立小便便器としても使用できるように、床に設置する台座部分と便器部分とに分離し、洋式便器機能を損なうことなく該便器部分のみを所定高さ位置に上昇保持と下降時に低速下降動作を自在可能とする昇降機能を機能構成してなることを特徴とする昇降自在の洋式便器。
【請求項２】
昇降機能が、若干幅を有し左右並行で垂直に構成される剛性材からなるリフト・ガイドレールの面上を滑動して所定高さ間を昇降自在とされる分離された便器部分を固定取付で背負う剛性材からなるバケットシートと、この滑動昇降動作を行うため電動モータを動力とするスプロケットとチエーン機構及びリフト・ガイドレールとバケットシートに構成される回動自在のローラ機構と、を機能構成してなることを特徴とする請求項１記載の昇降自在の洋式便器。
【請求項３】
昇降機能が、垂直に構成されるリフト・ガイドレール面上で滑動上昇する分離された便器部分を固定取付で背負うバケットシートが所定の高さでの停止と保持又はその保持解除と、保持解除後のバケットシートの低速下降をそれぞれに可能とするタッチ・スイッチ装置とラチエット爪、ラチエット解除レバーからなるラチエット装置とスローダウン用シリンダ装置とをリフト・ガイドレールとバケットシートとの間に設けてなることを特徴とする請求項１、２記載の昇降自在の洋式便器。
【発明の詳細な説明】
【技術分野】
【０００１】
本発明は、男性の立小便時に便座部分のみを所定高さで昇降可能とする昇降自在の洋式便器に関するものである。
【背景技術】
【０００２】
着座仕様の洋式便器で立小便する場合、小便がはねて外へ飛散し、床や壁を汚すことが多く不潔で更に不衛生でもあった。
【０００３】
このトラブルを避けるため、便器内に飛散防止板などを取り付けや便器の形状を変えるなどというような手段も考えられたが、いずれも着座仕様の洋式便器であるため効果は期待できなかった。
【先行技術文献】
【特許文献】
【０００４】
【特許文献１】特開２００１-０４０７３０号、特開２００６-１８１３０６号
【発明の開示】
【発明が解決しようとする課題】
【０００５】
解決しようとする課題は、公共施設や事業場等のトイレ設備では立小便用、着座仕様の洋式便器が共に備えられてあるのが通常であるが、一般家庭では着座仕様の洋式便器が多く用いられているのが実情である。
したがって、家庭における着座仕様の洋式便器での立小便の場合どうしても飛沫が便器外に飛散して床や壁等を汚してしまうことが多い点である。
【課題を解決するための手段】
【０００６】
本発明は、着座仕様の洋式便器を洋式便器機能を損なうことなく台座部分と便器部分とに分離して、男性立小便用として便器部分のみを所定高さに昇降自在とする機能を構成したことを最も主要な特徴とする。これにより立小便による飛沫汚染を防止するという目的を実現した。
【発明の効果】
【０００７】
本発明の昇降自在の洋式便器は、着座仕様の洋式便器を台座部分と便器部分とに分離して、洋式便器機能を損なうことなく立小便用として該便器のみを所定高さ位置に上昇保持と低速下降動作を自在可能としたことは機能的に大いに優れ、かつ、小便の飛沫による床など洋式便器周辺の不潔で不快な汚れを未然に防止できるという大きな利点がある。
【０００８】
請求項２の昇降機能が、分離された便器部分のみを固定取付で背負うバケットシートを垂直に構成されるリフト・ガイドレール面上を滑動昇降動作可能とするため、電動モータ駆動を介してスプロケットとチエーンからなる変速及び伝動機構及びリフト・ガイドレールとバケットシートの間に構成される回動自在のローラ機構などを機能構成したことは機能的に大いに優れている。
【０００９】
請求項３の昇降機能が、垂直に構成されるリフト・ガイドレール滑動するバケットシートの上昇高さ位置での停止と保持及び保持解除後での低速下降動作を、それぞれに可能とするタッチ・スイッチ装置と変速及び伝動機構のラチエット装置及びスローダウン用シリンダ装置をリフト・ガイドレールとバケットシートの間に設けたことは機能的に大いに優れている。
【発明を実施するための最良の形態】
【００１０】
着座仕様の洋式便器を、床に設置する台座部分と便器部分とに分離し、洋式便器機能を損なうことなく該便座部分のみを所定高さ位置に昇降自在として立小便器用とする手段を提供することで、立小便による着座仕様の洋式便器周辺の飛沫などによる汚染を未然に防止するという目的を実現した。
【実施例１】
【００１１】
着座仕様の洋式便器において、分離される便器部分のみを昇降自在可能とする昇降機能を、外部に設ける一体型洋式便器における本発明の一実施例で、図１は通常使用における本発明の側面図、図２は図１の正面図、図３は台座３から分離させたロータンク１付便座２の部分を上昇させた状態を示す側面図で、図４はバケットシート６の背面でローラ基部７、チエーン取り付け部７”、スローダウン用シリンダ１３などの取付位置を示す説明図で、図５はリフト・ガイドレール４を平行に構成する連結板４’、４”、５と変速及び伝動機構を構成するスプロケット９とチエーン９’と駆動スプロケット１０’及び受動スプロケット１１と電動モータ１０を示す説明図である。
図６は、壁面１６に固定取付されたリフト・ガイドレール４の装置において、壁面１６とバケットシート６の間隔を示す説明図である
以下図面に基づいて詳細に説明する。
【００１２】
本発明は、一体型洋式便器において、床１５に固定設置される台座３部分から洋式便器機能を損なうことなく分離し、立小便用としてロータンク１付便器２部分のみを所定の高さ位置間において昇降自在可能とするものである。
図１〜３において、一体型洋式便器で床１５に固定設置の台座３部分から分離されるロータンク１付便器２部分のみを所定の高さ間で所要の昇降動作を自在可能とする昇降装置が該ロータンク１付便器２部分に洋式便器としての機能を損なうことなく付加されるが、このロータンク１付便器２部分の昇降に応じて便座２と一体形成のインナ・パイプ２’は台座３側のアウタ・パイプ３’内を上下動可能とされている。
その際、汚水漏れや臭気発生などのトラブル防止のため、インナ・パイプ２’の所要箇所に複数の汚水及び臭気漏れ防止用のリング・パッキン２”がアウタ・パイプ３’内でインナ・パイプ２’の上下動作を妨げることのないように設けられている。
【００１３】
図４〜６において、所定の間隔と長さを有して左右の間を連結板４’、４”、５で連結することで左右平行に構成され、所定高さを有する角形でそれぞれの中央部を長さ方向に若干寸法で開口する樋状を形成して壁面１６に垂直固定取付されリフト・ガイドレール４は、その角形の樋状内部から逸脱することなく回動するインナローラ７’を一体構成するローラ基部７をロータンク１部分を固定取付で背負うように構成されたバケットシート６の背面で左右の上下両端部位置に固定取付することで、向き合う左右のリフト・ガイドレール４面上をスムーズに滑動自在可能とされている。
このバケットシート６が壁面１６に垂直に固定取付されたリフト・ガイドレール４の面上を昇降自在可能とするため、リフト・ガイドレール４の一方の端部に取り付けられた連結板４’の中間位置に回動自在構造で設ける若干径のスプロケット９とリフト・ガイドレール４の長さ方向の中間位置より若干下側位置に取り付けられる連結板４”の中間位置に連結板４’と同様に設けられる同径のスプロケット９とをチエーン９’で回動自在に連結するが、連結板４”に設けられるスプロケット９と同軸で径の異なる変速用の受動スプロケット１１を取り付けてリフト・ガイドレール４のもう一方の端部に取り付けられる連結板５に固定装置される駆動用の電気モータ１０に設けられる小径の駆動スプロケット１０’とチエーン９’で回動自在に連結しておく。
なお、壁面１６とバケットシート６の間はリフト・ガイドレール４の所定高さで形成する角形状により、連結板４、４”に設けられるスプロケット９、１１の所要回動動作が妨げられることのない間隔をもって構成されているものである。
【００１４】
連結板４’、４”に設けられるスプロケット９を連結するチエーン９’の所定箇所に設けるリフト取付け部９”とバケットシート６の背面で下端部に設けるチエーン取付け部７”とを連結することで、壁面１６に垂直に固定取付されたリフト・ガイドレール４面上の連結板４’と４”間を昇降自在とされるが、一方側のリフト・ガイドレール４の所定高さ位置に設けられるタッチ・スイッチ８に該バケットシート６の上端が部が当接することで電動モータ１０との回路は閉じられて上昇動作は停止され、該バケット６は連結板４’と４”の間における所定の位置で停止されるようになされている。
その際、バケットシート６のもう一方側の上端部の所定位置に設けられるラチエット爪１４と同じ側のリフト・ガイドレール４の所定高さ位置に設けられるラチエット解除レバー１４’とで構成されるラチエット装置によりロックされることで、該停止高さ位置は保持るようになされている。
ラチエット解除レバー１４’の操作により下降するロータンク１付便座２の部分を固定取付で背負うバケットシート６は背面の左右下端部とリフト・ガイドレール４左右の下端部の間に装置されるスローダウン用シリンダ１３の装置により急下降することなく緩やかに降下すようになされている。
なお、スローダウン用シリンダ１３の装置は、シリンダ内で気圧を構成するピストンには該バケットシート６の上昇時における上昇動作を妨げることないように吸入抵抗の少ないバルブ構造で、降下時は排出抵抗の大きいバルブ構造が用いられているものである。
電動モータ１０の作動は、固定装置される台座３付近の床１５面上に置かれる足踏みスイッチ１２によって行われるようになされているものである。
【００１５】
このようになっていると、着座仕様の一体型洋式便器において、立小便用の便器部分をスムーズに提供可能とすることで、便器周辺を立小便の飛沫などで汚すなどの不始末を未然に回避することができる。
【産業上の利用可能性】
【００１６】
昇降自在の洋式便器に用いられる機能装置は、洋式便器のみならずキッチン及び洗面化粧台や浴槽など水回り器具における手段として、通常の生活環境はは勿論医療、介護などの多方面の用途にも応用利用が期待できるものである。
【図面の簡単な説明】
【００１７】
【図１】壁面１６に垂直に固定取付されるリフト・ガイドレール４などの昇降機能を装置された一体型洋式便器で通常使用における本発明の側面図である。（実施例１）
【図２】図１の正面図である。（実施例１）
【図３】図１で、床１５に固定設置された台座３から分離させたロータンク１付便座２の部分を上昇させ、便座２と一体形成でリング・パッキン２”を設けるインナ・パイプ２’が台座３側のアウタ・パイプ３’内を摺動可能とする状態を示す説明図である。（実施例１）
【図４】バケットシート６の背面でローラ基部７、チエーン取り付け部７”、スローダウン用シリンダ１３などの取付位置を示す説明図である。
【図５】リフト・ガイドレール４を平行に構成する連結板４’、４”、５と伝動機構を構成するスプロケット９とチエーン９’及び変速機構を構成する受動スプロケット１１と駆動スプロケット１０’と電動モータ１０を示す説明図である。
【図６】リフト・ガイドレール４などで機能構成される昇降装置において、リフト・ガイドレール４が取り付けられる壁面１６とバケットしーと６との間隔を示す説明図である。
【符号の説明】
【００１８】
１    ロータンク
２    便器
２’  インナ・パイプ
２”  リング・パッキン
３    台座
３’  アウタ・パイプ
４    リフト・ガイドレール
４’、４”、５  連結板
６    バケットシート
７    ロ−ラ基部
７’  インナローラ
７”  チエーン取付け部
８    タッチ・スイッチ
９    スプロケット
９’  チエーン
９”  リフト取付け部
１０  電動モータ
１０’駆動スプロケット
１１  受動スプロケット
１２  足踏みスイッチ
１３  スローダウン用シリンダ
１４  ラチエット爪
１４’  ラチエット解除レバー
１５  床
１６  壁面
【図１】
2014109174.tif 000003
【図２】
2014109174.tif 000004
【図３】
2014109174.tif 000005
【図４】
2014109174.tif 000006
【図５】
2014109174.tif 000007
【図６】
2014109174.tif 000008